(57)【要約】【課題】内視鏡の挿入部の先端面を迅速に清掃することができる内視鏡用清掃具を提供すること。【解決手段】挿入部Ｓをその先端部から挿入可能な開口部２ａを有する本体部材２と、開口部２ａから挿入された挿入部Ｓの先端面Ｓ１と当接可能な被当接部材３と、被当接部材３と挿入部Ｓの先端面Ｓ１とを当接させた状態で挿入部Ｓを本体部材２にさらに挿入することに応じて、この挿入方向に被当接部材３が移動するとともに前記挿入方向と直交する方向に被当接部材３が挿入部Ｓの先端面Ｓ１に摺動するように、被当接部材３を本体部材２に支持させる支持機構とを備えている。【選択図】図２
2010172576.tif 000002
【特許請求の範囲】
【請求項１】
所定方向に延びるとともにその先端面の向く方向を撮像可能な挿入部を有する内視鏡を清掃するための内視鏡用清掃具であって、
前記挿入部をその先端部から挿入可能な開口部を有する本体部材と、
前記開口部から挿入された前記挿入部の先端面と当接可能な被当接部材と、
前記被当接部材と挿入部の先端面とを当接させた状態で前記挿入部を前記本体部材にさらに挿入することに応じて、この挿入方向に被当接部材が移動するとともに前記挿入方向と直交する方向に前記被当接部材が前記挿入部の先端面に対して摺動するように、前記被当接部材を前記本体部材に支持させる支持機構とを備えていることを特徴とする内視鏡用清掃具。
【請求項２】
前記支持機構は、前記被当接部材を保持する保持部材と、前記本体部材に設けられ、前記保持部材に挿入方向への力が与えられることに応じて前記保持部材が本体部材に対して前記挿入方向に変位するとともに前記挿入方向と平行する軸回りに回転するように、前記保持部材を支持する支持部とを備えていることを特徴とする請求項１に記載の内視鏡用清掃具。
【請求項３】
前記保持部材と本体部材との間に設けられた付勢部材をさらに備え、
前記保持部材は、前記付勢部材の付勢力によって前記開口部に向けて変位した初期位置と、前記付勢力に抗して前記本体部材に押し込まれた押込位置との間で変位可能となるように前記本体部材に支持されていることを特徴とする請求項２に記載の内視鏡用清掃具。
【請求項４】
前記保持部材は、前記挿入部の先端面と当接する前記被当接部材の当接面が前記挿入方向と直交する面に対して傾斜可能となるように、前記被当接部材を保持することを特徴とする請求項２又は３に記載の内視鏡用清掃具。
【請求項５】
前記保持部材は、前記本体部材に回転可能に支持された第一部材と、この第一部材に支持されているとともに前記被当接部材を保持する第二部材をさらに備え、
前記第二部材は、前記挿入方向の軸回りに前記第一部材と一体に回転可能となり、かつ、前記挿入方向と直交する面に対して傾斜可能となるように、前記第一部材に支持されていることを特徴とする請求項４に記載の内視鏡用清掃具。
【請求項６】
前記挿入部の先端面を曇り止めするための曇り止め用液体を含浸可能な含浸部材をさらに備えていることを特徴とする請求項１〜５の何れか１項に記載の内視鏡用清掃具。
【請求項７】
前記含浸部材は、白色の部材からなることを特徴とする請求項６に記載の内視鏡用清掃具。
【請求項８】
前記被当接部材は、前記本体部材に着脱可能に構成されていることを特徴とする請求項１〜７の何れか１項に記載の内視鏡用清掃具。
【請求項９】
前記被当接部材は、少なくとも前記挿入部と当接する部分がマイクロファイバからなることを特徴とする請求項１〜８の何れか一項に記載の内視鏡用清掃具。
【請求項１０】
前記本体部材に設けられ、所定の連結対象物と前記本体部材とを着脱可能に連結する連結部材をさらに備えていることを特徴とする請求項１〜９の何れか１項に記載の内視鏡用清掃具。
【発明の詳細な説明】
【技術分野】
【０００１】
本発明は、内視鏡を清掃するための用具に関するものである。
【背景技術】
【０００２】
従来から、例えば、特許文献１に開示される腹腔鏡のように、体内に挿入される内視鏡が知られている。
【０００３】
この種の内視鏡は、操作部と、この操作部から延びるとともに体内に挿入される挿入部とを備えている。前記挿入部は、その先端面が向く方向を撮像することが可能な撮像部材とを有している。
【０００４】
前記内視鏡を体内に挿入した場合、体内の体液等が挿入部の先端面に付着することや、体内の湿度及び体内と体外との温度差に応じて挿入部の先端部に曇りが生じることにより、撮像部材の視野が悪くなる場合がある。
【０００５】
このような場合、医療従事者は、挿入部を体外に引き抜いて、当該挿入部の先端面をガーゼで拭いたり、挿入部の先端部をお湯に浸けることによって、挿入部の先端面の汚れや曇りを取り除いていた。
【先行技術文献】
【特許文献】
【０００６】
【特許文献１】特開平６−２６９４０３号公報
【発明の概要】
【発明が解決しようとする課題】
【０００７】
しかしながら、挿入部の先端部をガーゼで拭く場合、医療従事者は、挿入部とガーゼとを別々の手に持って、両者を複数回擦り付けるという作業を要するため、作業が煩雑となり、当該作業を迅速に行なうことが難しかった。
【０００８】
また、挿入部の先端部をお湯に浸ける場合においても、挿入部の清掃に先立ってお湯を準備することを要するため、内視鏡の清掃作業を迅速に行うことが難しかった。
【０００９】
本発明は、上記課題に鑑みてなされたものであり、内視鏡の挿入部の先端面を迅速に清掃することができる内視鏡用清掃具を提供することを目的としている。
【課題を解決するための手段】
【００１０】
上記課題を解決するために、本発明は、所定方向に延びるとともにその先端面の向く方向を撮像可能な挿入部を有する内視鏡を清掃するための内視鏡用清掃具であって、前記挿入部をその先端部から挿入可能な開口部を有する本体部材と、前記開口部から挿入された前記挿入部の先端面と当接可能な被当接部材と、前記被当接部材と挿入部の先端面とを当接させた状態で前記挿入部を前記本体部材にさらに挿入することに応じて、この挿入方向に被当接部材が移動するとともに前記挿入方向と直交する方向に前記被当接部材が前記挿入部の先端面に対して摺動するように、前記被当接部材を前記本体部材に支持させる支持機構とを備えていることを特徴とする内視鏡用清掃具を提供する。
【００１１】
本発明によれば、支持機構を備えているので、挿入部を本体部材の内部に挿入することによって、この挿入方向と直交する方向に、挿入部の先端面に対して被当接部材を摺動させることができる。そのため、内視鏡を操作する医療従事者は、挿入部を体内から引き出すとともに、この挿入部を本体部材に挿入するだけの操作で、当該挿入部の先端面の拭き清掃を行うことができる。
【００１２】
したがって、本発明によれば、内視鏡の挿入部の先端面を迅速に清掃することができる。
【００１３】
前記内視鏡用清掃具において、前記支持機構は、前記被当接部材を保持する保持部材と、前記本体部材に設けられ、前記保持部材に挿入方向への力が与えられることに応じて前記保持部材が本体部材に対して前記挿入方向に変位するとともに前記挿入方向と平行する軸回りに回転するように、前記保持部材を支持する支持部とを備えていることが好ましい。
【００１４】
この構成によれば、被当接部材を保持する保持部材を本体部材に対して回転させることにより、挿入部の先端面と被当接部材とを摺動させることができる。
【００１５】
前記内視鏡用清掃具において、前記保持部材と本体部材との間に設けられた付勢部材をさらに備え、前記保持部材は、前記付勢部材の付勢力によって前記開口部に向けて変位した初期位置と、前記付勢力に抗して前記本体部材に押し込まれた押込位置との間で変位可能となるように前記本体部材に支持されていることが好ましい。
【００１６】
この構成によれば、付勢部材によって保持部材が初期位置に向けて付勢されているので、挿入部を挿入して保持部材を押込位置まで押し込むことにより挿入部の先端面の拭き清掃が終了した後、この挿入部を本体部材から抜き取ることにより、保持部材が初期位置に復帰して、挿入部を清掃可能な状態に自動的に復帰する。したがって、この構成によれば、挿入部を本体部材に抜き差しすることにより、挿入部の拭き清掃を何度も連続して行うことができ、挿入部の先端面の清掃をより迅速にすることが可能となる。
【００１７】
前記内視鏡用清掃具において、前記保持部材は、前記挿入部の先端面と当接する前記被当接部材の当接面が前記挿入方向と直交する面に対して傾斜可能となるように、前記被当接部材を保持することが好ましい。
【００１８】
この構成によれば、挿入部の長手方向と直交する平面に対して先端面が傾斜した、いわゆる、斜視型内視鏡の挿入部も有効に清掃することができる。つまり、前記構成によれば、被当接部材が挿入部の先端面の傾斜角度に合わせて傾斜し、当該挿入部の先端面と被当接部材の当接面とを密着させることができるため、この状態で、挿入部の先端面と被当接部材とを摺動させることによって挿入部の先端面を有効に清掃することができる。
【００１９】
前記内視鏡用清掃具において、前記保持部材は、前記本体部材に回転可能に支持された第一部材と、この第一部材に支持されているとともに前記被当接部材を保持する第二部材をさらに備え、前記第二部材は、前記挿入方向の軸回りに前記第一部材と一体に回転可能となり、かつ、前記挿入方向と直交する面に対して傾斜可能となるように、前記第一部材に支持されていることが好ましい。
【００２０】
この構成によれば、挿入部の先端面と被当接部材の当接面とを密着させた状態のまま、当該先端面と当接面とを相互に回転させることが可能となる。
【００２１】
前記内視鏡用清掃具において、前記挿入部の先端面を曇り止めするための曇り止め用液体を含浸可能な含浸部材をさらに備えていることが好ましい。
【００２２】
この構成によれば、清掃の終了した挿入部の先端面に対して曇り止めを施すことができる。
【００２３】
前記内視鏡用清掃具において、前記含浸部材は、白色の部材からなることが好ましい。
【００２４】
この構成によれば、内視鏡の撮像範囲内に含浸部材を配置することにより、内視鏡のホワイトバランスを調整することが可能となる。
【００２５】
前記内視鏡用清掃具において、前記被当接部材は、前記本体部材に着脱可能に構成されていることが好ましい。
【００２６】
この構成によれば、挿入部を何度も清掃して、清掃能力の低下した被当接部材を新しい被当接部材に交換することが可能となる。また、この構成によれば、被当接部材を消耗品とし、被当接部以外の部分を再使用する構成とすることが可能となるため、ランニングコストを低減することができる。
【００２７】
前記内視鏡用清掃具において、前記被当接部材は、少なくとも前記挿入部と当接する部分がマイクロファイバからなることが好ましい。
【００２８】
この構成によれば、被当接部材の挿入部と当接する部分がマイクロファイバからなるため、挿入部の先端面をより確実に清掃することが可能となる。
【００２９】
ここで、マイクロファイバとは、断面の直径が８μｍ以下である極細の合成繊維である。この繊維断面の形状が鋭角の部分を有し又は多角形とされているため、マイクロファイバは、極めて細かい塵や汚れを有効に取り込む性能を発揮する。
【００３０】
前記内視鏡用清掃具において、前記本体部材に設けられ、所定の連結対象物と前記本体部材とを着脱可能に連結する連結部材をさらに備えていることが好ましい。
【００３１】
この構成によれば、例えば、内視鏡用清掃具をオイフや手術着に連結しておくことにより、内視鏡用清掃具を紛失することなく、常に治療場所の近く置いておくことができる。
【発明の効果】
【００３２】
本発明によれば、内視鏡の挿入部の先端面を迅速に清掃することができる。
【図面の簡単な説明】
【００３３】
【図１】本発明の実施形態に係る内視鏡用清掃具を示す斜視図である。
【図２】図１の内視鏡用清掃具の側面断面図である。
【図３】図２の保持部材を拡大して示す斜視図である。
【図４】図２の保持部材及び傾動部材を拡大して示す側面断面図である。
【図５】図２の受け部材及び傾動部材を拡大して示す斜視図である。
【図６】図５の受け部材及び傾動部材を示す平面図である。
【図７】保持部材が押込位置とされた状態を示す図２相当図である。
【図８】斜視型内視鏡を清掃している状態を示す図７相当図である。
【図９】図１の内視鏡清掃具に連結部材をさらに設けた状態を示す側面図である。
【発明を実施するための形態】
【００３４】
以下、本発明の好ましい実施形態について図面を参照して説明する。
【００３５】
図１は、本発明の実施形態に係る内視鏡用清掃具を示す斜視図である。図２は、図１の内視鏡用清掃具の側面断面図である。
【００３６】
図１及び図２を参照して、内視鏡用清掃具１は、上部に開口部２ａを有する本体部材２と、本体部材２内に設けられ、前記開口部２ａから挿入された内視鏡の挿入部Ｓの先端面Ｓ１（図７参照）と当接可能な被当接部材３と、この被当接部材３を前記本体部材２内に取り付けるための取付部材４とを備えている。
【００３７】
本体部材２は、合成樹脂からなり、特定の方向に延びる有底の筒状部材である。以下、本体部材２の延びる方向を上下方向として説明する。
【００３８】
具体的に、本体部材２は、有底容器状の下部ケース５と、この下部ケース５の上部に連結された上部ケース６とを備えている。
【００３９】
下部ケース５は、円筒状の胴体部５ａと、この胴体部５ａの下部を塞ぐ底部５ｂと、この底部５ｂを浮かせた状態で下部ケース５を自立させることが可能となるように前記胴体部５ａから下に延びるスカート部５ｃとを備えている。前記底部５ｂの下面には、曇り止め用の液体を含浸可能な含浸部材７が取り付けられている。
【００４０】
含浸部材７は、下部ケース５を所定の載置面に立たせた状態で、当該載置面と接触しないような厚み寸法を有している。つまり、前記スカート部５ｃにより下部ケース５を自立させた状態で形成された載置面と底部５ｂとの間の上下寸法よりも含浸部材７の厚み寸法が小さく設定されている。したがって、曇り止め用の液体が載置面に付着するのを抑制しつつ、下部ケース５を上下逆さまの姿勢として内視鏡の挿入部Ｓを含浸部材７にこすり付けることにより、挿入部Ｓの先端面Ｓ１に曇り止めを施すことができる。
【００４１】
また、含浸部材７は、白色の部材（例えば、スポンジ）からなる。したがって、内視鏡の撮像範囲内に含浸部材を配置した状態で、内視鏡のホワイトバランスを調整することが可能となる。
【００４２】
前記胴体部５ａは、その内側面に形成された雌ねじ部（支持部）８と、その上部外側面に形成された雄ねじ部９とを備えている。
【００４３】
上部ケース６は、前記下部ケース５の雌ねじ部９に上から螺合されている。具体的に、上部ケース６は、円筒状の胴体部６ａと、この胴体部６ａの上部を塞ぐように設けられた天部６ｂとを備えている。胴体部６ａは、その内側面に設けられ、前記雌ねじ部９に螺合可能な雌ねじ部１０を備えている。底部６ｂには、当該天部６ｂを上下方向に貫通する孔が形成されることにより、前記開口部２ａが形成されている。
【００４４】
被当接部材３は、前記本体部材２の開口部２ａに上から挿入された内視鏡の挿入部Ｓの先端面Ｓ１（図７参照）と当接可能となるように、前記開口部２ａの直下に配置されている。具体的に、被当接部材３は、マイクロファイバからなり、前記挿入部Ｓの先端面Ｓ１の全範囲に当接可能となる面積を有する円板状に形成されている。ここで、マイクロファイバとは、断面の直径寸法が８μｍ以下である極細の合成繊維である。この繊維断面の形状が鋭角の部分を有し又は多角形とされているため、マイクロファイバは、極めて細かい塵や汚れを有効に取り込む性能を発揮する。
【００４５】
取付部材４は、前記被当接部材３を保持するための保持部材１４と、この保持部材１４を上に付勢するコイルばね１６とを備えている。
【００４６】
図３は、図２の保持部材を拡大して示す斜視図である。図４は、図２の保持部材及び傾動部材を拡大して示す側面断面図である。図５は、図２の受け部材及び傾動部材を拡大して示す斜視図である。図６は、図５の受け部材及び傾動部材を示す平面図である。
【００４７】
図２〜６を参照して、保持部材１４は、上下方向に延びる筒状に形成された筒部材１８と、この筒部材１８の内側に下から挿入された受け部材１９と、これら筒部材１８及び受け部材１９（これらが本実施形態の第一部材に相当する）に支持されているとともに前記被当接部材３を保持する傾動部材（第二部材）１５とを備えている。
【００４８】
筒部材１８は、上又は下への移動に応じて上下方向の軸回りに回転するように前記下部ケース５内に収納されている。具体的に、前記筒部材１８の外側面には、前記下部ケース５の雌ねじ部８と螺合可能な雄ねじ部１７が形成されている。この雄ねじ部１７が雌ねじ部８に沿って移動することにより、保持部材１４が上下方向の軸回りに回転しながら上下動することになる。つまり、本実施形態では、保持部材１４を押し下げることに応じて、この押し下げ方向に被当接部材３が移動するとともに押し下げ方向と平行する軸回りに被当接部材３が回転するように被当接部材３を本体部材２に支持させる支持機構が、保持部材１４と下部ケース５の雌ねじ部８とによって実現されている。
【００４９】
また、前記筒部材１８には、その上部と、これより大きな直径を有する下部とを繋ぐ肩部１８ａが形成されている。そして、筒部材１８は、前記肩部１８ａが前記上部ケース６の天部６ｂと当接する上位置（初期位置：図２の位置）から下部ケース５の底部５ｂ側に押し込まれた下位置（押込位置：図７参照）までの間で上下動可能となるように本体部材２内に収納されている。そして、筒部材１８は、前記コイルばね１６によって上方に付勢されているため、外力が付与されていない状態では前記初期位置に押し上げられている。
【００５０】
さらに、筒部材１８には、前記本体部材２の開口部２ａと同軸に配置され小径孔２０と、この小径孔２０の下に配置されるとともに当該小径孔２０よりも大きな直径寸法とされた大径孔２１とが同軸に形成されている。大径孔２１を取り囲む筒部材１８の内側面には、雌ねじ部２２が形成され、この雌ねじ部２２によって受け部材１９を螺合可能となっている。
【００５１】
図４〜図６に示すように、受け部材１９は、前記雌ねじ部２２に螺合可能な雄ねじ部２３が形成された本体部２４と、この本体部２４上に立設された４本の支柱部２５と、本体部２４の上面に形成された球状凹面２６とを備えている。
【００５２】
球状凹面２６は、傾動部材１５が上下方向と直交する平面に対して傾斜可能となるように、当該傾動部材１５の下面を支持するようになっている。具体的に、球状凹面２６は、半球状に凹まされた本体部２４の上面からなり、半球状に凸となる傾動部材１５の球状凸部２７を当該球状凸部２７に沿って摺動可能となるように下から支持している。
【００５３】
各支柱部２５は、受け部材１９に対して傾動部材１５が上下方向と平行な軸回りに回転するのを阻止するためのものである。具体的に、各支柱部２５の間には、傾動部材１５から突出する４本の回り止め片２８がそれぞれ挿入されており、これら各回り止め片２８と各支柱部２５とが当接することによって、受け部材１９と傾動部材１５との相対的な回転が阻止される。つまり、受け部材１９と傾動部材１５とは、一体になって回転する。
【００５４】
傾動部材１５は、前記被当接部材３を保持する円板状の本体部２９と、この本体部２９の下面から下に突出する前記球状凸部２７と、前記本体部２９の周面から側方に突出する４本の前記回り止め片２８とを備えている。上述のように、傾動部材１５は、各回り止め片２８が受け部材１９の各支柱部２５の間に挿入された状態で、球状凸部２７が受け部材１９の球状凹面２６上に載置されることにより、上下方向と平行する軸回りの回転が規制された状態で、上下方向と直交する平面に対して傾斜することが可能となるように、受け部材１９に支持されている。
【００５５】
図２に示すように、コイルばね１６は、前記下部ケース５の底部５ｂの上面と、保持部材１４（筒部材１８）の下面との間に縮められた状態で配設されている。したがって、このコイルばね１６によって押し上げられた保持部材１４は、外力が付与されていない状態において、図２に示す初期位置に押し上げられている。一方、保持部材１４に押し下げる方向の力を与えると、当該保持部材１４は、コイルばね１６の付勢力に抗して下方に移動しながら、前記雌ねじ部８に沿って回転することになる。
【００５６】
以下、内視鏡の挿入部Ｓの先端面Ｓ１を清掃する際の内視鏡用清掃具１の動作について説明する。
【００５７】
まず、内視鏡の挿入部Ｓ（図７参照）を患者の体内から抜き出し、図２に示す初期位置にある内視鏡用清掃具１の開口部２ａに挿入する。これにより、挿入部Ｓの先端面Ｓ１（図７参照）と被当接部材３の上面とが当接する。
【００５８】
この状態からさらに挿入部Ｓを挿入すると、保持部材１４は、コイルばね１６の付勢力に抗して下方に移動しながら回転することになる。このとき、挿入部Ｓは、医療従事者の手で把持され、回転することはないので、当該挿入部Ｓに対して被当接部材３が相対的に回転（摺動）することとなり、挿入部Ｓの先端面Ｓ１が被当接部材３によって拭き清掃されることになる。
【００５９】
そして、さらに挿入部Ｓを挿入し、図７に示すように、保持部材１４が押込位置まで押し込まれると、医療従事者は、挿入部Ｓを内視鏡用清掃具１から抜き出す。これにより、保持部材１４に対する押込力が解除されるため、コイルばね１６の付勢力によって保持部材１４は、図２に示す初期位置に復帰する。
【００６０】
なお、本実施形態に係る内視鏡用清掃具１は、傾動部材１５を備えているので、図８に示すように、挿入部Ｓの軸線と直交する平面に対して傾斜した先端面Ｓ２を有する斜視型内視鏡の清掃も有効に行うことができる。つまり、前記内視鏡用清掃具１は、先端面Ｓ２の傾斜角に合わせて被当接部材３の上面を傾斜させることができるため、斜視型内視鏡の先端面Ｓ２と被当接部材３の上面とを相密着させた状態で、当該被当接部材３と先端面Ｓ２とを相対的に摺動（回転）させることが可能となる。
【００６１】
上記のように挿入部Ｓの先端面Ｓ２を清掃した後、当該先端面Ｓの表面を含浸部材７に擦り付けることにより、当該先端面Ｓに曇り止めを施すことができる。このとき、含浸部材７が白色の部材からなるため、曇り止めを施した直後に、当該含浸部材７を撮像範囲に配置した状態で、内視鏡のホワイトバランスを調整することができる。
【００６２】
以上説明したように、前記実施形態によれば、保持部材１４及び下部ケース５の雌ねじ部８を有しているので、挿入部Ｓを本体部材２の内部に挿入することによって、この挿入方向（上下方向）と直交する方向に、挿入部Ｓの先端面Ｓ１、Ｓ２に対して被当接部材３を摺動させることができる。そのため、内視鏡を操作する医療従事者は、挿入部Ｓを体内から引き出すとともに、この挿入部Ｓを本体部材２に挿入するだけの操作で、当該挿入部Ｓの先端面Ｓ１の拭き清掃を行うことができる。
【００６３】
したがって、前記実施形態によれば、内視鏡の挿入部Ｓの先端面Ｓ１を迅速に清掃することができる。
【００６４】
前記実施形態のように、保持部材１４を雌ねじ部８によって回転させる構成によれば、被当接部材３を保持する保持部材１４を回転させることによって、挿入部Ｓの先端面Ｓ１と被当接部材３とを摺動させることができる。
【００６５】
前記実施形態のように、コイルばね１６を設けた構成によれば、コイルばね１６によって保持部材１４が初期位置に向けて付勢されているので、挿入部Ｓを挿入して保持部材１４を押込位置まで押し込むことにより、挿入部の先端面の拭き清掃が終了した後、この挿入部Ｓを本体部材２から抜き取ることにより、保持部材１４が初期位置に復帰して、挿入部Ｓを清掃可能な状態に自動的に復帰する。したがって、この構成によれば、挿入部Ｓを本体部材２に抜き差しすることにより、挿入部Ｓの拭き清掃を何度も連続して行うことができ、挿入部Ｓの先端面Ｓ１の清掃をより迅速にすることが可能となる。
【００６６】
前記実施形態のように、被当接部材３の当接面が上下方向と直交する面に対して傾斜可能となるように、保持部材１４が被当接部材３を保持する構成によれば、挿入部Ｓの長手方向と直交する平面に対して先端面が傾斜した、いわゆる斜視型内視鏡の挿入部Ｓも有効に清掃することができる。つまり、前記構成によれば、被当接部材３が挿入部Ｓの先端面Ｓ１の傾斜角度に合わせて傾斜し、当該挿入部Ｓの先端面Ｓ１と被当接部材３の当接面とを密着させることができるため、この状態で、挿入部Ｓの先端面Ｓ１と被当接部材３とを摺動させることによって挿入部Ｓの先端面Ｓ１を有効に清掃することができる。
【００６７】
前記実施形態のように、受け部材１９と傾動部材１５とを備えた構成によれば、挿入部Ｓの先端面Ｓ１と被当接部材３の当接面とを密着させた状態のまま、当該先端面Ｓ１と当接面とを相互に回転させることができる。
【００６８】
前記実施形態のように、含浸部材７を備えた構成によれば、清掃の終了した挿入部Ｓの先端面に対して曇り止めを施すことができる。
【００６９】
前記実施形態のように、含浸部材７を白色の部材により構成した場合、内視鏡の撮像範囲内に含浸部材７を配置することにより、内視鏡のホワイトバランスを調整することができる。したがって、被当接部材３により挿入部Ｓの先端面Ｓ１を清掃し、含浸部材７により先端面Ｓ１の曇り止めを施した直後に、ホワイトバランスの調整を行うことができ、その後の撮像を良好な条件で行うことが可能となる。
【００７０】
前記実施形態のように、前記被当接部材３をマイクロファイバにより構成することにより、挿入部Ｓの先端面Ｓ１を確実に清掃することが可能となる。
【００７１】
なお、前記実施形態では、被当接部材３の全体をマイクロファイバにより構成した例について説明したが、被当接部材３のうち、少なくとも挿入部Ｓの先端面Ｓ１と当接部分をマイクロファイバにより構成することにより、前記実施形態と同様の効果を得ることができる。
【００７２】
また、前記実施形態では、被当接部材３を傾動部材１５に固定した構成について説明したが、前記被当接部材３を保持部材１４に対して着脱可能に構成することが好ましい。このようにすれば、挿入部Ｓを何度も清掃して、清掃能力の低下した被当接部材３を新しい被当接部材３に交換することが可能となる。また、この構成によれば、被当接部材３を消耗品とし、被当接部材３以外の部分を再使用する構成とすることが可能となるため、ランニングコストを低減することができる。
【００７３】
なお、前記本体部材２をオイフや手術着に着脱可能に連結するための連結部材３０をさらに備えていることが好ましい。
【００７４】
図９は、連結部材３０の構成を示す概略図である。
【００７５】
図９を参照して、連結部材３０は、前記本体部材２の外側面に形成されたアーチ状の被連結部３１に取り付けられている。具体的に、連結部材３０は、前記被連結部３１に結ばれた紐部材３２と、この紐部材３２の先端部に設けられたクリップ３３とを備えている。
【００７６】
クリップ３３は、一対の挟持刃３３ａ及び３３ｂと、これら挟持刃３３ａ、３３ｂを繋ぐ操作部３３ｃとを一体に備えている。
【００７７】
操作部３３ｃを矢印Ｙ１に示すように押し縮めると、矢印Ｙ２に示すように挟持刃３３ａと挟持刃３３ｂとが互いに離間する。一方、操作部３３ｃの操作を止めると、当該操作部３３ｃが弾性的に形状復帰することにより、挟持刃３３ａと挟持刃３３ｂとが互いに密着する。これら密着した挟持刃３３ａ、３３ｂ同士の間に物を挟むことができる。
【００７８】
連結部材３０を備えた構成によれば、例えば、内視鏡清掃具１をオイフや手術着に連結しておくことにより、内視鏡用清掃具１を紛失することなく、常に治療場所の近くに置いておくことができる。
【符号の説明】
【００７９】
Ｓ    挿入部
Ｓ１、Ｓ２    先端面
１    内視鏡用清掃具
２    本体部材
２ａ    開口部
３    被当接部材
７    含浸部材
８    雌ねじ部（支持機構の一部）
１４    保持部材（支持機構の一部）
１５    傾動部材
１８    筒部材（第一部材）
１９    受け部材（第一部材）
【図１】
2010172576.tif 000003
【図２】
2010172576.tif 000004
【図３】
2010172576.tif 000005
【図４】
2010172576.tif 000006
【図５】
2010172576.tif 000007
【図６】
2010172576.tif 000008
【図７】
2010172576.tif 000009
【図８】
2010172576.tif 000010
【図９】
2010172576.tif 000011